(57)【要約】【課題】  マルチモニタシステムにおけるカーソルの操作性を向上させること。【解決手段】  本マルチモニタシステム１００のカーソル制御部２４は、複数の表示手段のうち一の表示手段に、操作対象となるリアルカーソルＲＣを表示するリアルカーソル表示手段４０と、複数の表示手段のうち他の表示手段に、操作対象とならないヴァーチャルカーソルＶＣを表示するヴァーチャルカーソル表示手段４２と、を備える。この構成によれば、表示手段のそれぞれにリアルカーソルＲＣまたはヴァーチャルカーソルＶＣのいずれかが表示されるため、操作対象となる第１カーソルの把握が容易となる。また、第１カーソルと第２カーソルを切り替えて使用することで、カーソルの操作性を向上させることができる。【選択図】  図４
2011059901.tif 000002
【特許請求の範囲】
【請求項１】
情報処理装置に対し、
複数の表示手段のうち一の表示手段に、操作対象となる第１カーソルを表示するステップと、
前記複数の表示手段のうち他の表示手段に、操作対象とならない第２カーソルを表示するステップと、
を実行させるためのカーソル制御プログラム。
【請求項２】
前記第１カーソルを前記第２カーソルに切り替えると同時に、複数の前記第２カーソルのうち１つを前記第１カーソルに切り替えるステップをさらに実行させるための請求項１に記載のカーソル制御プログラム。
【請求項３】
前記第１カーソルと前記第２カーソルは、前記表示手段内において互いに対応する位置に表示されることを特徴とする請求項１または２に記載のカーソル制御プログラム。
【請求項４】
前記第１カーソルの移動範囲を、一の表示手段または全表示手段のいずれかに設定するステップをさらに実行させるための請求項１〜３のいずれかに記載のカーソル制御プログラム。
【請求項５】
前記第１カーソルの移動範囲が全表示手段である場合において、前記第１カーソルが一の表示手段から他の表示手段に移動した場合に、移動先の前記一の表示手段に表示されるカーソルを前記第２カーソルから前記第１カーソルに切り替え、移動元の前記他の表示手段に表示されるカーソルを前記第１カーソルから前記第２カーソルに切り替えるステップをさらに実行させるための請求項４に記載のカーソル制御プログラム。
【請求項６】
前記複数の表示手段の少なくとも１つに、前記複数の表示手段の位置情報を表示するステップと、
表示された前記複数の表示手段の位置情報に基づき一の表示手段を選択するステップと、
選択された前記一の表示手段のカーソルを前記第２カーソルから前記第１カーソルに切り替えるステップと、
をさらに実行させるための請求項２〜５のいずれかに記載のカーソル制御プログラム。
【請求項７】
前記第１カーソルの形態は、前記第２カーソルと異なることを特徴とする請求項１〜６のいずれかに記載のカーソル制御プログラム。
【請求項８】
前記複数の表示手段の少なくとも１つに、前記第１カーソルの位置を表示するステップをさらに実行させるための請求項１〜７のいずれかに記載のカーソル制御プログラム。
【請求項９】
複数の表示手段のうち一の表示手段に、操作対象となる第１カーソルを表示する第１カーソル表示手段と、
前記複数の表示手段のうち他の表示手段に、操作対象とならない第２カーソルを表示する第２カーソル表示手段と、
を備えることを特徴とする情報処理装置。
【請求項１０】
複数の表示手段と、
前記複数の表示手段のうち一の表示手段に、操作対象となる第１カーソルを表示する第１カーソル表示手段と、
前記複数の表示手段のうち他の表示手段に、操作対象とならない第２カーソルを表示する第２カーソル表示手段と、
前記第１カーソルに対する操作を入力する入力手段と、
を備えることを特徴とするマルチモニタシステム。
【発明の詳細な説明】
【技術分野】
【０００１】
本発明は、マルチモニタシステムにおけるカーソル制御に関する。
【背景技術】
【０００２】
パーソナルコンピュータやＰＤＡなどの情報機器において、入力装置としてマウス等のポインティングデバイスが用いられている。ポインティングデバイスにより入力が行われる表示装置の画面上には、カーソルと呼ばれる絵記号が表示される。ユーザは、ポインティングデバイスによってカーソルを移動させ、画面上のオブジェクト（アイコン等）を選択することにより、情報機器の操作を行うことができる。
【０００３】
近年、１台の情報機器に複数の表示装置を搭載したマルチモニタシステムが開発されている。これによれば、複数の表示装置のそれぞれに異なる画像を表示することや、複数の表示装置を合わせて１つの大きな表示装置として使用することが可能となる。また、入力対象となる表示装置が増えたことによるユーザの負荷を低減するため、カーソル制御の操作性を向上させたマルチモニタシステムが開発されている（例えば、特許文献１及び２を参照）。
【先行技術文献】
【特許文献】
【０００４】
【特許文献１】特開２００３−２０２９５３号公報
【特許文献２】特開２００５−２９３２９２号公報
【発明の概要】
【発明が解決しようとする課題】
【０００５】
表示装置が複数あるマルチモニタシステムでは、表示装置が１つの場合に比べて、ポインティングデバイスによるカーソル操作が煩雑となる場合がある。例えば、表示画面が増えたことによりユーザがカーソルを見失ったり、距離の離れた表示装置間においてカーソルの移動に時間がかかってしまう場合がある。
【０００６】
本発明は上記課題に鑑みなされたものであり、マルチモニタシステムにおけるカーソルの操作性を向上させることを目的とする。
【課題を解決するための手段】
【０００７】
本マルチモニタシステムは、複数の表示手段と、前記複数の表示手段のうち一の表示手段に、操作対象となる第１カーソルを表示する第１カーソル表示手段と、前記複数の表示手段のうち他の表示手段に、操作対象とならない第２カーソルを表示する第２カーソル表示手段と、前記第１カーソルに対する操作を入力する入力手段と、を備える。
【０００８】
本情報処理手段は、複数の表示手段のうち一の表示手段に、操作対象となる第１カーソルを表示する第１カーソル表示手段と、前記複数の表示手段のうち他の表示手段に、操作対象とならない第２カーソルを表示する第２カーソル表示手段と、を備える。
【０００９】
本カーソル制御プログラムは、情報処理装置に対し、複数の表示手段のうち一の表示手段に、操作対象となる第１カーソルを表示するステップと、前記複数の表示手段のうち他の表示手段に、操作対象とならない第２カーソルを表示するステップと、を実行させる。
【発明の効果】
【００１０】
上記のマルチモニタシステム、情報処理装置、及びカーソル制御プログラムによれば、マルチモニタシステムにおけるカーソルの操作性を向上させることができる。
【図面の簡単な説明】
【００１１】
【図１】図１は、実施例１に係るマルチモニタシステムの全体構成を示した図である。
【図２】図２（ａ）〜（ｃ）は、カーソルの形態を示す図である。
【図３】図３は、図１に示すカーソル制御部の詳細な構成を示した図である。
【図４】図４は、モニタの配置及びカーソルの表示態様を示す図である。
【図５】図５（ａ）及び（ｂ）は、カーソル操作の流れを示す図である。
【図６】図６は、カーソル設定操作の流れを示す図（その１）である。
【図７】図７は、カーソル設定操作の流れを示す図（その２）である。
【図８】図８は、カーソルに関する設定画面を示す図である。
【図９】図９（ａ）及び（ｂ）は、カーソル切り替えの様子を示す図（その１）である。
【図１０】図１０（ａ）及び（ｂ）は、カーソル切り替えの様子を示す図（その２）である。
【図１１】図１１は、モニタの配置図を一のモニタ上に表示した状態を示す図である。
【図１２】図１２は、モニタの配置図を用いたカーソル選択の一例を示す図である。
【発明を実施するための形態】
【００１２】
次に、図面を参照しつつ、実施例に係るマルチモニタシステムについて説明する。
【実施例１】
【００１３】
図１は、実施例１に係るマルチモニタシステムの全体構成を示した図である。マルチモニタシステム１００は、入力装置１０、情報処理装置２０、及び表示装置３０を含む。
【００１４】
入力装置１０は、後述するカーソルを操作するためのポインティングデバイス１２と、キー入力を受け付けるキーボード１４とを含む。ポインティングデバイス１２としては、例えばマウスやトラックボールを用いることができる。
【００１５】
情報処理装置２０は、入力装置１０からの入力を受け付ける入力部２２と、後述するカーソル制御をおこなうためのカーソル制御部２４と、記憶部２６とを備える。カーソル制御部２４は、ハードウェアとしては例えばＣＰＵ等により構成され、当該ＣＰＵに後述するカーソル制御プログラムを実行させることにより実現することができる。記憶部２６は、例えばハードディスクやフラッシュメモリ等の記憶媒体から構成され、前述のＣＰＵに実行させるためのカーソル制御プログラムを記憶する。入力装置１０から情報処理装置２０の入力部２２に情報（例えば、カーソルの座標）が入力されると、カーソル制御部２４はその入力情報に基づいてカーソルの制御（例えば、指定座標へのカーソルの移動）を行うための信号を出力する。
【００１６】
表示装置３０は、複数のモニタ（ここでは、９つのモニタ３０Ａ〜３０Ｉ）を含む。モニタ３０Ａ〜３０Ｉは、例えば液晶ディスプレイにより構成され、情報処理装置２０から出力された画像情報を表示する。このとき、複数のモニタ３０Ａ〜３０Ｉは、別々の画像情報を表示してもよいし、全体として１つの画像情報を表示してもよい（この場合は、複数のモニタがあたかも１つのモニタのように機能する）。モニタ３０Ａ〜３０Ｉは、カーソル制御部２４からの出力信号に基づき、それぞれのモニタにおいてカーソルの表示を行う。
【００１７】
図２（ａ）〜（ｃ）は、マルチモニタシステム１００に係るカーソルの形態を示す図である。本実施例では、ユーザがポインティングデバイス１２により操作を行うためのカーソルが２種類存在する。１つ目は、第１カーソルであるリアルカーソルＲＣで、ユーザにとっての操作対象となるものである（図２（ａ））。２つ目は、第２カーソルであるヴァーチャルカーソルＶＣで、ユーザにとって操作対象とならないダミーのカーソルである（図２（ｂ）、（ｃ））。図２（ａ）と（ｂ）とを比較すると、リアルカーソルＲＣとヴァーチャルカーソルＶＣとで形状が同じであり、色が異なる。図２（ａ）と（ｃ）とを比較すると、リアルカーソルＲＣとヴァーチャルカーソルＶＣとで形状が異なる。このように、リアルカーソルＲＣとヴァーチャルカーソルＶＣとは、形態が異なり外観上区別できることが好ましい。
【００１８】
図３は、図１に示すカーソル制御部２４の詳細を示した機能ブロック図である。第１カーソル表示手段としてのリアルカーソル表示手段４０は、操作対象となるリアルカーソルＲＣをモニタ上に表示する。ユーザが行うカーソルの操作としては、カーソル移動の他に、クリック、ダブルクリック、ドラッグ＆ドロップ等、画面上のオブジェクトを選択する操作が含まれる。第２カーソル表示手段としてのヴァーチャルカーソル表示手段４２は、ヴァーチャルカーソルＶＣをモニタ上に表示する。モニタ３０Ａ〜３０Ｉのうち一のモニタにはリアルカーソルＲＣが表示され、他のモニタにはそれぞれヴァーチャルカーソルＶＣが表示される。すなわち、リアルカーソルＲＣが表示される（操作対象となる）モニタは１つだけである。
【００１９】
移動範囲設定手段４４は、モニタ上におけるリアルカーソルＲＣの移動範囲を設定する。切替手段４６は、リアルカーソルＲＣとヴァーチャルカーソルＶＣの表示を切り替える（今までヴァーチャルカーソルＶＣだったカーソルのうち１つをリアルカーソルＲＣとし、今までリアルカーソルＲＣだったカーソルをヴァーチャルカーソルＶＣとする）。配置表示手段４８は、マルチモニタシステム１００におけるモニタ３０Ａ〜３０Ｉの全体の配置図を、少なくとも１つのモニタ上に表示する。選択手段５０は、表示されたモニタの配置図の中から１つのモニタを選択する。位置通知手段５２は、ユーザに対しリアルカーソルＲＣの位置を通知する。これらの機能については後段で詳述する。
【００２０】
図４は、モニタの配置及びカーソルの表示態様を示す図である。サイズ及び解像度の異なる９つのモニタ３０Ａ〜３０Ｉが、並んで配置されている。この例では、中央に位置するモニタ３０ＦにリアルカーソルＲＣが表示され、他のモニタ３０Ａ〜３０Ｅ及び３０Ｇ〜３０Ｉには、ヴァーチャルカーソルＶＣが表示されている。また、それぞれのカーソルは、モニタ画面内において共通の位置に表示されている。例えば、図４の例ではモニタの上下及び左右のそれぞれ約３分の１の位置に、カーソルの先端が位置するように表示されている。また、リアルカーソルＲＣ及びヴァーチャルカーソルＶＣのサイズも、モニタ３０Ａ〜３０Ｉのサイズに従ったものとなっている。
【００２１】
図５（ａ）及び（ｂ）は、カーソル操作の流れを示す図である。図５（ａ）は、カーソルの移動に関する説明である。最初に、カーソル制御部２４が、カーソルの移動命令を受け付ける（ステップＳ１０）。カーソル制御部２４は、入力された移動命令に基づき、リアルカーソルＲＣ及びヴァーチャルカーソルＶＣを指定の位置に移動させる。移動先の指定は、例えば絶対座標により指定してもよいし、現在地からの相対座標により指定してもよい。カーソルの移動命令は、リアルカーソルＲＣとヴァーチャルカーソルＶＣの両方に影響を与える。従って、ユーザの操作によりリアルカーソルＲＣが移動すると、ヴァーチャルカーソルＶＣも同様に（モニタ画面に対し同じ相対位置を維持するように）移動する。
【００２２】
図５（ｂ）は、オブジェクトの選択（クリック等）に関する説明である。最初に、カーソル制御部２４が、オブジェクトの選択命令を受け付ける（ステップＳ２０）。次に、カーソル制御部２４は、入力された選択命令に基づき、リアルカーソルＲＣによる選択動作を行う（ステップ２２）。カーソルの移動命令は、リアルカーソルＲＣにのみ影響をあたえる。従って、仮にヴァーチャルカーソルＶＣの表示位置上に何らかのオブジェクトがあったとしても、上記の選択操作により当該オブジェクトが選択されることはない。
【００２３】
次に、カーソル操作に関する設定について説明する。
【００２４】
図６及び図７は、カーソル設定操作の流れを示したフローチャートである。本実施例では、（１）カーソルの移動範囲、（２）カーソルの切替方法、（３）、モニタ位置情報の表示の有無、の３点について設定が行われるものとする。最初に、カーソル制御部２４は、カーソルの操作範囲が「一画面」または「全画面」のいずれに設定されているかを判定する（ステップＳ３０）。操作範囲が「一画面」に設定された場合、カーソル制御部２４は、リアルカーソルＲＣの移動範囲を１つのモニタ内に限定する（ステップＳ３２）。このとき、仮にリアルカーソルＲＣがモニタの端まで移動した場合、リアルカーソルＲＣはそれ以上移動せずにモニタの端に停止する。一方、操作範囲が「全画面」に設定された場合、カーソル制御部２４は、リアルカーソルＲＣの移動範囲を全画面に設定する（ステップＳ３４）。このとき、リアルカーソルＲＣは、図４に示すモニタ３０Ａ〜３０Ｉの間を自由に移動することができる。上記の操作範囲設定操作は、図３の移動範囲設定手段４４により行われる。
【００２５】
次に、カーソル制御部２４は、マウス（ポインティングデバイス１２）によるカーソルの切り替えが可能か否かを判定する（ステップＳ３６）。「マウスによる切り替え」が可能である場合、カーソル制御部２４は、マウスによりリアルカーソルＲＣをモニタの端から画面の外側に向かって移動させることにより、隣接するモニタにリアルカーソルＲＣを移動させる操作（カーソルの切り替え）を実行する（ステップＳ３８）。これは、カーソルの移動範囲が全画面の場合にのみ可能であるため、ステップＳ３０において「一画面」が選択された場合はこれらのステップは実行されない。
【００２６】
次に、カーソル制御部２４は、キー（キーボード１４）によるカーソルの切り替えが可能か否かを判定する（ステップＳ４０）。「キーボードによる切り替え」が可能とされた場合、カーソル制御部２４は、キーボードにおける所定のキー入力を受けて、一のモニタ上のリアルカーソルＲＣを他のモニタ上のヴァーチャルカーソルＶＣと入れ替える操作（リアルカーソルＲＣをモニタ単位で移動させること）を実行する（ステップＳ４２）。この切替方法は、カーソルの操作範囲がどちらの場合であっても採用することができる。
【００２７】
図７は、モニタ位置情報の表示設定に関するフローチャートである。最初に、カーソル制御部２４は、モニタ位置情報を表示するか否かを判定する（ステップＳ５０）。モニタ位置情報とは、マルチモニタシステム１００に含まれるモニタ３０Ａ〜３０Ｉの配置関係を含む情報であり、例えばモニタ配置図の縮小図（図１０参照）などが用いられる。モニタ位置情報を操作画面にのみ表示する設定の場合、カーソル制御部２４は、モニタ位置情報をリアルカーソルＲＣのあるモニタにのみ表示する（ステップＳ５２）。モニタ位置情報を全画面に表示する設定の場合、カーソル制御部２４は、モニタ位置情報をモニタ３０Ａ〜３０Ｉのそれぞれの画面上の所定位置に表示する（ステップＳ５４）。モニタ位置情報を表示しない設定の場合、カーソル制御部２４は、モニタ位置情報の表示を行わない（ステップＳ５６）。
【００２８】
図８は、カーソル操作に関する設定画面を示す図である。ユーザは、例えばポインティングデバイス１２を操作し、設定画面６０内のチェックボックスをクリックすることにより、各種設定（カーソルの移動範囲、カーソルの切替方法、及びモニタ位置情報の表示の有無）の変更を行うことができる。なお、カーソルの切替方法における「マウスによる切り替え」及び「キーボードによる切り替え」は排他的なものではなく、両者を同時に設定することが可能である。
【００２９】
図９（ａ）及び（ｂ）は、マウスによるカーソル切り替えの様子を示す図である。図９（ａ）では、リアルカーソルＲＣがモニタ３０Ａの右端に向かって移動している。このとき、ヴァーチャルカーソルＶＣも同様にモニタ３０Ｂの右端に向かって移動する。他のモニタについては説明を省略する。図９（ｂ）に示すように、リアルカーソルＲＣがモニタ３０Ａの画面右端に到着すると、リアルカーソルＲＣの表示はモニタ３０Ａから消え、モニタ３０Ｂの左端に現れる。このとき、ヴァーチャルカーソルＶＣの表示はモニタ３０Ｂから消え、モニタ３０Ａの左端に現れる。リアルカーソルＲＣ及びヴァーチャルカーソルＶＣを消去、出現させる上記の切り替え操作は、図３の切替手段４６により行われる。
【００３０】
図１０（ａ）及び（ｂ）は、キーボードによるカーソル切り替えの様子を示す図である。図１０（ａ）では、リアルカーソルＲＣがモニタ３０Ａの中央に位置し、ヴァーチャルカーソルＶＣがモニタ３０Ｂの中央に位置する。図１０（ｂ）では、所定のキー操作が行われたことにより、リアルカーソルＲＣとヴァーチャルカーソルＶＣの位置が入れ替わっている。この切り替え操作は、図３の切替手段４６により行われる。この方法によれば、リアルカーソルＲＣを画面の端まで移動させなくともカーソルの切り替えを行うことができるため、カーソルの移動距離が大きい場合（例えば、リアルカーソルＲＣを図４のモニタ３０Ｈから３０Ｄまで移動させる場合）に特に有効である。
【００３１】
図１１は、モニタ位置情報の１つであるモニタの配置図を一のモニタ上に表示した状態を示す図である。ヴァーチャルカーソルＶＣが表示されているモニタ３０Ａの右下の領域７０には、配置表示手段４８によりマルチモニタシステム１００におけるモニタ３０Ａ〜３０Ｉの配置が表示されている。また、モニタ配置図の中には、位置通知手段５２によりリアルカーソルＲＣの位置が示されている（本実施例では、中央のモニタ３０Ｆが暗く表示されており、ここにリアルカーソルＲＣがあることが示されている）。これにより、ユーザはモニタの配置及びリアルカーソルＲＣの位置を容易に把握することができる。
【００３２】
図１２は、モニタの配置図を用いたカーソル選択の一例である。選択手段５０としてのカーソル制御部２４は、ユーザからの入力に基づき、縮小表示されたモニタ配置図の中から一のモニタを選択する（ステップＳ６０）。切替手段４６としてのカーソル制御部２４は、選択されたモニタのカーソルを、ヴァーチャルカーソルＶＣからリアルカーソルＲＣに切り替える（ステップＳ６２）。これにより、ユーザは領域７０に表示されたモニタ配置図を用いて、所望のモニタにリアルカーソルＲＣを迅速に移動させることができる。
【００３３】
実施例１のマルチモニタシステム１００では、複数のモニタ３０Ａ〜３０Ｉのうち一のモニタに操作対象となるリアルカーソルＲＣが表示され、他のモニタに操作対象とならないヴァーチャルカーソルＶＣを表示される。全てのモニタにカーソルが表示されることから、ユーザは最初に任意のモニタに表示されたカーソル発見し、それがリアルカーソルＲＣであるか否かを判断することによりリアルカーソルＲＣを探すことができる。これにより、全てのモニタを合わせて１つのカーソルしか表示されない場合に比べて、操作対象となるカーソルを把握するのが容易となる。その結果、カーソルの操作性を向上させることができる。また、上記の機能を備えたカーソル制御プログラム、及び当該プログラムを備えた情報処理装置においても、同様の効果を期待することができる。
【００３４】
また、マルチモニタシステム１００のカーソル制御部２４は、リアルカーソルＲＣ及びヴァーチャルカーソルＶＣの切り替えを行う切替手段４６を備えている。これにより、操作を所望するモニタに表示されているヴァーチャルカーソルＶＣをリアルカーソルＲＣに切り替えることができ、迅速なカーソル操作が可能となる。カーソルの切り替え操作は、ポインティングデバイス１２（マウス等）により行ってもよいし、キーボード１４により行ってもよい。ポインティングデバイス１２を用いる場合は、直感的な切り替え操作が可能であり、ユーザはポインティングデバイスを離さずに通常のカーソル操作の延長線上で切り替えを行うことができる。一方、キーボード１４を用いる場合は、所定のキーにコマンドを割り当てる等の方法により、さらに迅速にリアルカーソルＲＣを移動させることができる。
【００３５】
リアルカーソルＲＣ及びヴァーチャルカーソルＶＣは、モニタ内において互いに対応する位置に表示されることが好ましい。対応する位置とは、モニタの表示領域に対する相対的な位置が実質的に同じであることを指す。例えば、複数のモニタ間においてサイズ、縦横の比率、解像度等が異なる場合でも、カーソルの表示位置を共通にしておくことで、ユーザは各画面においてカーソル位置の見当をつけることができる。また、リアルカーソルＲＣの動きに合わせてヴァーチャルカーソルＶＣが移動するようにすることで、カーソルの動きが統一されるためユーザにとって視覚的な煩雑さが少なくなる。その結果、カーソルの操作性をさらに向上させることができる。
【００３６】
また、カーソル制御部２４は、リアルカーソルＲＣの移動範囲を一画面または全画面のいずれかに設定可能な移動範囲設定手段４４として機能する。これにより、ユーザはリアルカーソルＲＣの移動範囲を自らの好みに合わせて設定することで、操作性をより向上させることができる。リアルカーソルＲＣの移動範囲が全画面に設定された場合において、リアルカーソルＲＣが一のモニタから他のモニタに移動した場合、切替手段４６として機能するカーソル制御部２４は、移動先のモニタに表示されるカーソルをヴァーチャルカーソルＶＣからリアルカーソルＲＣに切り替える。これにより、ユーザは複数のモニタがあたかも１つのモニタであるかのような感覚で、リアルカーソルＲＣの移動操作を行うことができる。
【００３７】
また、カーソル制御部２４は、モニタ内の所定の領域（図１１の領域７０）に、全モニタの配置図を表示させる配置表示手段４８として機能する。これにより、ユーザは全モニタの配置関係や、リアルカーソルＲＣがあるモニタの位置を迅速に把握することができる。また、カーソル制御部２４は、領域７０に表示されたモニタの配置図の中から一のモニタを選択する選択手段５０として機能する。これにより、ユーザは領域７０内の１つのモニタを指定することで、リアルカーソルＲＣを所望のモニタに移動させることができる。これは、移動先のモニタが現在リアルカーソルＲＣがあるモニタから大きく離れている場合等に便利である。
【００３８】
また、カーソル制御部２４は、ユーザにリアルカーソルＲＣの位置を通知する位置通知手段５２として機能する。これにより、ユーザはカーソル制御部２４に対しリアルカーソルＲＣの位置を知りたい旨の要求をすることで、リアルカーソルＲＣの位置を迅速に知ることができる。通知の方法としては例えば、図１１で説明した全モニタの配置図にリアルカーソルＲＣの位置を表示させることが考えられる。その他にも、テキストや音声のメッセージ等によりユーザに通知を行う方法が考えられる。
【００３９】
以上、本発明の実施例について説明したが、本発明の範囲は上記の実施例に限定されるものではなく、特許請求の範囲に記載された発明の範囲内において、種々の変形、変更が可能である。
【符号の説明】
【００４０】
１０              入力装置
１２              ポインティングデバイス
１４              キーボード
２０              情報処理装置
２４              カーソル制御部
３０              表示装置
３０Ａ〜３０Ｉ    モニタ
４０              リアルカーソル表示手段
４２              ヴァーチャルカーソル表示手段
４４              移動範囲設定手段
４６              切替手段
４８              配置表示手段
５０              選択手段
５２              位置通知手段
【図１】
2011059901.tif 000003
【図２】
2011059901.tif 000004
【図３】
2011059901.tif 000005
【図４】
2011059901.tif 000006
【図５】
2011059901.tif 000007
【図６】
2011059901.tif 000008
【図７】
2011059901.tif 000009
【図８】
2011059901.tif 000010
【図９】
2011059901.tif 000011
【図１０】
2011059901.tif 000012
【図１１】
2011059901.tif 000013
【図１２】
2011059901.tif 000014